【手続補正書】
【提出日】平成19年5月25日(2007.5.25)
【手続補正１】
【補正対象書類名】明細書
【補正対象項目名】特許請求の範囲
【補正方法】変更
【補正の内容】
【特許請求の範囲】
【請求項１】  入力画像を領域に分割し符号化する動画像符号化装置において、
現フレームの画像を入力する画像入力部と、
現フレームと参照フレームとの間のグローバル動きベクトルを求めるグローバル動き探索部と、
グローバル動きベクトルを使って参照フレームの画像から画素毎に動きベクトルを算出して予測画像を作成する画素グローバル動き補償部と、
グローバル動きベクトルを使って参照フレームの画像から複数の画素毎に動きベクトルを算出して予測画像を作成するブロックグローバル動き補償部と、
前記画素グローバル動き補償部で求めた予測画像か前記ブロックグローバル動き補償部で求めた予測画像のいずれかを選択する予測画像選択部と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化部と、
前記予測画像選択部で選択した予測画像を使って入力画像を符号化する符号化部と、
符号化データを復号する復号部と、
復号画像を蓄積する参照画像メモリと、
を備えたことを特徴とする動画像符号化装置。
【請求項２】  請求項１に記載の動画像符号化装置に対して、
現フレームを分割した領域毎の動きベクトルを入力する動きベクトル入力部と、現フレームを分割した領域毎の動き補償のための予測画像を作成する動き補償部とを備え、
前記予測画像選択部が、前記画素グローバル動き補償部で求めた予測画像か、前記ブロックグローバル動き補償部で求めた予測画像か、前記動き補償部で求めた予測画像のいずれかを選択することを特徴とする動画像符号化装置。
【請求項３】  入力画像を領域に分割し符号化する動画像符号化装置において、
現フレームの画像を入力する画像入力部と、
現フレームと参照フレームとの間のグローバル動きベクトルを求めるグローバル動き探索部と、
グローバル動きベクトルを使って参照フレームの画像から画素毎に動きベクトルを算出して予測画像を作成する画素グローバル動き補償部と、
前記画素グローバル動き補償部で作成した予測画像を使って、現フレームを分割した領域毎に動き探索を行うグローバル動き再探索部と、
前記グローバル動き再探索部で求めた動きベクトルを使って、前記グローバル動き補償部で作成した予測画像から、新たに予測画像を作成するグローバル動き再補償部と、
グローバル動きベクトルを使って参照フレームの画像から複数の画素毎に動きベクトルを算出して予測画像を作成するブロックグローバル動き補償部と、
前記画素グローバル動き補償部で求めた予測画像か前記グローバル動き再補償部で求めた予測画像か前記ブロックグローバル動き補償部で求めた予測画像のいずれかを選択する予測画像選択部と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化部と、
前記予測画像選択部で選択した予測画像を使って入力画像を符号化する符号化部と、
符号化データを復号する復号部と、
復号画像を蓄積する参照画像メモリと、
を備えたことを特徴とする動画像符号化装置。
【請求項４】  請求項３に記載の動画像符号化装置に対して、
現フレームを分割した領域毎の動きベクトルを入力する動きベクトル入力部と、現フレームを分割した領域毎の動き補償のための予測画像を作成する動き補償部とを備え、
前記予測画像選択部が、前記画素グローバル動き補償部で求めた予測画像か、前記グローバル動き再補償部で求めた予測画像か、前記動き補償部で求めた予測画像のいずれかを選択することを特徴とする動画像符号化装置。
【請求項５】  入力画像を分割した領域毎に復号する動画像復号装置において、
グローバル動きベクトルを使って参照フレームの画像から画素毎の動きベクトルを算出し、予測画像を作成する画素グローバル動き補償部と、
グローバル動きベクトルを使って参照フレームの画像から複数の画素毎の動きベクトルを算出し、予測画像を作成するブロックグローバル動き補償部と、
前記画素グローバル動き補償部で求めた予測画像か前記ブロックグローバル動き補償部で求めた予測画像のいずれかを選択する予測画像選択部と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号部と、
前記予測画像選択部で選択した予測画像を使って符号化データを復号する復号部と、
フレーム内符号化で復号する復号するフレーム内復号部と、
復号画像を蓄積する参照画像メモリと、
を備えたことを特徴とする動画像復号装置。
【請求項６】  請求項５に記載の動画像復号装置に対して、
現フレームを分割した領域毎の動き補償のための予測画像を作成する動き補償部を備え、
前記予測画像選択部が、前記画素グローバル動き補償部で求めた予測画像か、前記ブロックグローバル動き補償部で求めた予測画像か、前記動き補償部で求めた予測画像のいずれかを選択することを特徴とする動画像復号装置。
【請求項７】  入力画像を分割した領域毎に復号する動画像復号装置において、
グローバル動きベクトルを使って参照フレームの画像から画素毎の動きベクトルを算出し予測画像を作成する画素グローバル動き補償部と、
現フレームを分割した領域毎の動きベクトルを使って、前記画素グローバル動き補償部で作成した予測画像から、新たに予測画像を作成するグローバル動き再補償部と、
グローバル動きベクトルを使って参照フレームの画像から複数の画素毎の動きベクトルを算出し、予測画像を作成するブロックグローバル動き補償部と、
前記画素グローバル動き補償部で求めた予測画像か前記グローバル動き再補償部で求めた予測画像か前記ブロックグローバル動き補償部で求めた予測画像のいずれかを選択する予測画像選択部と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号部と、
前記予測画像選択部で選択した予測画像を使って符号化データを復号する復号部と、
フレーム内符号化で復号する復号するフレーム内復号部と、
復号画像を蓄積する参照画像メモリと、
を備えたことを特徴とする動画像復号装置。
【請求項８】  請求項７に記載の動画像復号装置に対して、
現フレームを分割した領域毎の動き補償のための予測画像を作成する動き補償部を備え、
前記予測画像選択部が、前記画素グローバル動き補償部で求めた予測画像か、前記グローバル動き再補償部で求めた予測画像か、前記動き補償部で求めた予測画像のいずれかを選択することを特徴とする動画像復号装置。
【請求項９】  入力画像を領域に分割し符号化する動画像符号化方法において、
現フレームと参照フレームとの間のグローバル動きベクトルを求めるグローバル動き探索過程と、
グローバル動きベクトルを使って参照フレームの画像から画素毎に動きベクトルを算出して予測画像を作成する画素グローバル動き補償過程と、
グローバル動きベクトルを使って参照フレームの画像から複数の画素毎に動きベクトルを算出して予測画像を作成するブロックグローバル動き補償過程と、
前記画素グローバル動き補償過程で求めた予測画像か前記ブロックグローバル動き補償過程で求めた予測画像のいずれかを選択する予測画像選択過程と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化過程と、
前記予測画像選択過程で選択した予測画像を使って入力画像を符号化する符号化過程と、
符号化データを復号する復号過程と、
復号画像を蓄積する参照画像蓄積過程と、
を有することを特徴とする動画像符号化方法。
【請求項１０】  入力画像を領域に分割し符号化する動画像符号化方法において、
現フレームの画像を入力する画像入力過程と、
現フレームと参照フレームとの間のグローバル動きベクトルを求めるグローバル動き探索過程と、
グローバル動きベクトルを使って参照フレームの画像から画素毎に動きベクトルを算出して予測画像を作成する画素グローバル動き補償過程と、
前記画素グローバル動き補償過程で作成した予測画像を使って、現フレームを分割した領域毎に動き探索を行うグローバル動き再探索過程と、
前記グローバル動き再探索過程で求めた動きベクトルを使って、前記グローバル動き補償過程で作成した予測画像から、新たに予測画像を作成するグローバル動き再補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記グローバル動き再補償過程で求めた予測画像か前記ブロックグローバル動き補償過程で求めた予測画像のいずれかを選択する予測画像選択過程と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化過程と、
前記予測画像選択過程で選択した予測画像を使って入力画像を符号化する符号化過程と、
符号化データを復号する復号過程と、
復号画像を蓄積する参照画像蓄積過程と、
を有することを特徴とする動画像符号化方法。
【請求項１１】  請求項９または請求項１０に記載の動画像符号化方法に対して、
現フレームを分割した領域毎の動きベクトルを入力する動きベクトル入力過程と、現フレームを分割した領域毎の動き補償のための予測画像を作成する動き補償過程とを有し、
前記予測画像選択過程が、前記動き補償過程で求めた予測画像も選択できることを特徴とする動画像符号化方法。
【請求項１２】  入力画像を分割した領域毎に復号する動画像復号方法において、
グローバル動きベクトルを使って参照フレームの画像から画素毎の動きベクトルを算出し、予測画像を作成する画素グローバル動き補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記ブロックグローバル動き補償過程で求めた予測画像か前記ブロックグローバル動き補償過程で求めた予測画像のいずれかを選択する予測画像選択過程と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号過程と、
前記予測画像選択過程で選択した予測画像を使って符号化データを復号する復号過程と、
フレーム内符号化で復号する復号するフレーム内復号過程と、
復号画像を蓄積する参照画像蓄積過程と、
を有することを特徴とする動画像復号方法。
【請求項１３】  入力画像を分割した領域毎に復号する動画像復号方法において、
グローバル動きベクトルを使って参照フレームの画像から画素毎の動きベクトルを算出し予測画像を作成する画素グローバル動き補償過程と、
現フレームを分割した領域毎の動きベクトルを使って、前記画素グローバル動き補償過程で作成した予測画像から、新たに予測画像を作成するグローバル動き再補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記グローバル動き再補償過程で求めた予測画像かのいずれかを選択する予測画像選択過程と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号過程と、
前記予測画像選択過程で選択した予測画像を使って符号化データを復号する復号過程と、
フレーム内符号化で復号する復号するフレーム内復号過程と、
復号画像を蓄積する参照画像蓄積過程と、
を有することを特徴とする動画像復号方法。
【請求項１４】  請求項１２または請求項１３に記載の動画像復号方法に対して、
現フレームを分割した領域毎の動き補償のための予測画像を作成する動き補償過程を有し、
前記予測画像選択過程が、前記動き補償過程で求めた予測画像も選択できることを特徴とする動画像復号方法。
【請求項１５】  請求項１〜４のいずれか１項に記載の動画像符号化装置、または請求項９〜１１のいずれか１項に記載の動画像符号化方法を、コンピュータで実行可能なプログラムとして構成したことを特徴とする動画像符号化プログラム。
【請求項１６】  請求項５〜８のいずれか１項に記載の動画像復号装置、または請求項１２〜１４のいずれか１項に記載の動画像復号方法を、コンピュータで実行可能なプログラムとして構成したことを特徴とする動画像復号プログラム。
【請求項１７】  請求項１〜４のいずれか１項に記載の動画像符号化装置、または請求項９〜１１のいずれか１項に記載の動画像符号化方法を、コンピュータで実行可能にしたプログラムを、コンピュータが読取可能な記録媒体に記録したことを特徴とする動画像符号化プログラムを記録した記録媒体。
【請求項１８】  請求項５〜８のいずれか１項に記載の動画像復号装置、または請求項１２〜１４のいずれか１項に記載の動画像復号方法を、コンピュータで実行可能にしたプログラムを、コンピュータが読取可能な記録媒体に記録したことを特徴とする動画像復号プログラムを記録した記録媒体。
【手続補正２】
【補正対象書類名】明細書
【補正対象項目名】００１９
【補正方法】変更
【補正の内容】
【００１９】
（３）請求項３に記載の発明では、入力画像を領域に分割し符号化する動画像符号化装置において、
現フレームの画像を入力する画像入力部と、
現フレームと参照フレームとの間のグローバル動きベクトルを求めるグローバル動き探索部と、
グローバル動きベクトルを使って参照フレームの画像から画素毎に動きベクトルを算出して予測画像を作成する画素グローバル動き補償部と、
前記画素グローバル動き補償部で作成した予測画像を使って、現フレームを分割した領域毎に動き探索を行うグローバル動き再探索部と、
前記グローバル動き再探索部で求めた動きベクトルを使って、前記グローバル動き補償部で作成した予測画像から、新たに予測画像を作成するグローバル動き再補償部と、
グローバル動きベクトルを使って参照フレームの画像から複数の画素毎に動きベクトルを算出して予測画像を作成するブロックグローバル動き補償部と、
前記画素グローバル動き補償部で求めた予測画像か前記グローバル動き再補償部で求めた予測画像か前記ブロックグローバル動き補償部で求めた予測画像のいずれかを選択する予測画像選択部と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化部と、
前記予測画像選択部で選択した予測画像を使って入力画像を符号化する符号化部と、
符号化データを復号する復号部と、
復号画像を蓄積する参照画像メモリと、
を備えたことを特徴とする。
【手続補正３】
【補正対象書類名】明細書
【補正対象項目名】００２１
【補正方法】削除
【補正の内容】
【手続補正４】
【補正対象書類名】明細書
【補正対象項目名】００２２
【補正方法】変更
【補正の内容】
【００２２】
（５）請求項５に記載の発明では、入力画像を分割した領域毎に復号する動画像復号装置において、
グローバル動きベクトルを使って参照フレームの画像から画素毎の動きベクトルを算出し、予測画像を作成する画素グローバル動き補償部と、
グローバル動きベクトルを使って参照フレームの画像から複数の画素毎の動きベクトルを算出し、予測画像を作成するブロックグローバル動き補償部と、
前記画素グローバル動き補償部で求めた予測画像か前記ブロックグローバル動き補償部で求めた予測画像のいずれかを選択する予測画像選択部と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号部と、
前記予測画像選択部で選択した予測画像を使って符号化データを復号する復号部と、
フレーム内符号化で復号する復号するフレーム内復号部と、
復号画像を蓄積する参照画像メモリと、
を備えたことを特徴とする。
【手続補正５】
【補正対象書類名】明細書
【補正対象項目名】００２３
【補正方法】変更
【補正の内容】
【００２３】
（６）請求項６に記載の発明では、請求項５に記載の動画像復号装置に対して、
現フレームを分割した領域毎の動き補償のための予測画像を作成する動き補償部を備え、
前記予測画像選択部が、前記画素グローバル動き補償部で求めた予測画像か、前記ブロックグローバル動き補償部で求めた予測画像か、前記動き補償部で求めた予測画像のいずれかを選択することを特徴とする。
【手続補正６】
【補正対象書類名】明細書
【補正対象項目名】００２４
【補正方法】変更
【補正の内容】
【００２４】
（７）請求項７に記載の発明では、入力画像を分割した領域毎に復号する動画像復号装置において、
グローバル動きベクトルを使って参照フレームの画像から画素毎の動きベクトルを算出し予測画像を作成する画素グローバル動き補償部と、
現フレームを分割した領域毎の動きベクトルを使って、前記画素グローバル動き補償部で作成した予測画像から、新たに予測画像を作成するグローバル動き再補償部と、
グローバル動きベクトルを使って参照フレームの画像から複数の画素毎の動きベクトルを算出し、予測画像を作成するブロックグローバル動き補償部と、
前記画素グローバル動き補償部で求めた予測画像か前記グローバル動き再補償部で求めた予測画像か前記ブロックグローバル動き補償部で求めた予測画像のいずれかを選択する予測画像選択部と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号部と、
前記予測画像選択部で選択した予測画像を使って符号化データを復号する復号部と、
フレーム内符号化で復号する復号するフレーム内復号部と、
復号画像を蓄積する参照画像メモリと、
を備えたことを特徴とする。
【手続補正７】
【補正対象書類名】明細書
【補正対象項目名】００２５
【補正方法】変更
【補正の内容】
【００２５】
（８）請求項８に記載の発明では、請求項７に記載の動画像復号装置に対して、
現フレームを分割した領域毎の動き補償のための予測画像を作成する動き補償部を備え、
前記予測画像選択部が、前記画素グローバル動き補償部で求めた予測画像か、前記グローバル動き再補償部で求めた予測画像か、前記動き補償部で求めた予測画像のいずれかを選択することを特徴とする。
【手続補正８】
【補正対象書類名】明細書
【補正対象項目名】００２６
【補正方法】削除
【補正の内容】
【手続補正９】
【補正対象書類名】明細書
【補正対象項目名】００２７
【補正方法】変更
【補正の内容】
【００２７】
（９）請求項９に記載の発明では、入力画像を領域に分割し符号化する動画像符号化方法において、
現フレームと参照フレームとの間のグローバル動きベクトルを求めるグローバル動き探索過程と、
グローバル動きベクトルを使って参照フレームの画像から画素毎に動きベクトルを算出して予測画像を作成する画素グローバル動き補償過程と、
グローバル動きベクトルを使って参照フレームの画像から複数の画素毎に動きベクトルを算出して予測画像を作成するブロックグローバル動き補償過程と、
前記画素グローバル動き補償過程で求めた予測画像か前記ブロックグローバル動き補償過程で求めた予測画像のいずれかを選択する予測画像選択過程と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化過程と、
前記予測画像選択過程で選択した予測画像を使って入力画像を符号化する符号化過程と、
符号化データを復号する復号過程と、
復号画像を蓄積する参照画像蓄積過程と、
を有することを特徴とする。
【手続補正１０】
【補正対象書類名】明細書
【補正対象項目名】００２８
【補正方法】変更
【補正の内容】
【００２８】
（１０）請求項１０に記載の発明では、入力画像を領域に分割し符号化する動画像符号化方法において、
現フレームの画像を入力する画像入力過程と、
現フレームと参照フレームとの間のグローバル動きベクトルを求めるグローバル動き探索過程と、
グローバル動きベクトルを使って参照フレームの画像から画素毎に動きベクトルを算出して予測画像を作成する画素グローバル動き補償過程と、
前記画素グローバル動き補償過程で作成した予測画像を使って、現フレームを分割した領域毎に動き探索を行うグローバル動き再探索過程と、
前記グローバル動き再探索過程で求めた動きベクトルを使って、前記グローバル動き補償過程で作成した予測画像から、新たに予測画像を作成するグローバル動き再補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記グローバル動き再補償過程で求めた予測画像か前記ブロックグローバル動き補償過程で求めた予測画像のいずれかを選択する予測画像選択過程と、
少なくとも領域をフレーム間予測符号化で符号化するのかフレーム内符号化で符号化するのかを示す情報と、フレーム間予測符号化で符号化する場合に前記予測画像選択部でいずれを選択したのかを示す情報とを示す符号化モードを符号化する符号化モード符号化過程と、
前記予測画像選択過程で選択した予測画像を使って入力画像を符号化する符号化過程と、
符号化データを復号する復号過程と、
復号画像を蓄積する参照画像蓄積過程と、
を有することを特徴とする。
【手続補正１１】
【補正対象書類名】明細書
【補正対象項目名】００２９
【補正方法】変更
【補正の内容】
【００２９】
（１１）請求項１１に記載の発明では、請求項９または請求項１０に記載の動画像符号化方法に対して、
現フレームを分割した領域毎の動きベクトルを入力する動きベクトル入力過程と、現フレームを分割した領域毎の動き補償のための予測画像を作成する動き補償過程とを有し、
前記予測画像選択過程が、前記動き補償過程で求めた予測画像も選択できることを特徴とする。
【手続補正１２】
【補正対象書類名】明細書
【補正対象項目名】００３０
【補正方法】変更
【補正の内容】
【００３０】
（１２）請求項１２に記載の発明では、入力画像を分割した領域毎に復号する動画像復号方法において、
グローバル動きベクトルを使って参照フレームの画像から画素毎の動きベクトルを算出し、予測画像を作成する画素グローバル動き補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記ブロックグローバル動き補償過程で求めた予測画像か前記ブロックグローバル動き補償過程で求めた予測画像のいずれかを選択する予測画像選択過程と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号過程と、
前記予測画像選択過程で選択した予測画像を使って符号化データを復号する復号過程と、
フレーム内符号化で復号する復号するフレーム内復号過程と、
復号画像を蓄積する参照画像蓄積過程と、
を有することを特徴とする。
【手続補正１３】
【補正対象書類名】明細書
【補正対象項目名】００３１
【補正方法】変更
【補正の内容】
【００３１】
（１３）請求項１３に記載の発明では、入力画像を分割した領域毎に復号する動画像復号方法において、
グローバル動きベクトルを使って参照フレームの画像から画素毎の動きベクトルを算出し予測画像を作成する画素グローバル動き補償過程と、
現フレームを分割した領域毎の動きベクトルを使って、前記画素グローバル動き補償過程で作成した予測画像から、新たに予測画像を作成するグローバル動き再補償過程と、
グローバル動きベクトルを使って参照フレームの画像から複数の画素毎の動きベクトルを算出し、予測画像を作成するブロックグローバル動き補償過程と、
前記画素グローバル動き補償過程で求めた予測画像か前記グローバル動き再補償過程で求めた予測画像かのいずれかを選択する予測画像選択過程と、
少なくとも領域をフレーム間予測符号化で復号するのかフレーム内符号化で復号するのかを示す情報と、フレーム間予測符号化で復号する場合に前記予測画像選択部でいずれを選択したのかを示す情報とを示す符号化モードを復号する符号化モード復号過程と、
前記予測画像選択過程で選択した予測画像を使って符号化データを復号する復号過程と、
フレーム内符号化で復号する復号するフレーム内復号過程と、
復号画像を蓄積する参照画像蓄積過程と、
を有することを特徴とする。
【手続補正１４】
【補正対象書類名】明細書
【補正対象項目名】００３２
【補正方法】変更
【補正の内容】
【００３２】
（１４）請求項１４に記載の発明では、請求項１２または請求項１３に記載の動画像復号方法に対して、
現フレームを分割した領域毎の動き補償のための予測画像を作成する動き補償過程を有し、
前記予測画像選択過程が、前記動き補償過程で求めた予測画像も選択できることを特徴とする。
【手続補正１５】
【補正対象書類名】明細書
【補正対象項目名】００３３
【補正方法】変更
【補正の内容】
【００３３】
（１５）請求項１５に記載の発明では、請求項１〜４のいずれか１項に記載の動画像符号化装置、または請求項９〜１１のいずれか１項に記載の動画像符号化方法を、コンピュータで実行可能なプログラムとして構成したことを特徴とする。
【手続補正１６】
【補正対象書類名】明細書
【補正対象項目名】００３４
【補正方法】変更
【補正の内容】
【００３４】
（１６）請求項１６に記載の発明では、請求項５〜８のいずれか１項に記載の動画像復号装置、または請求項１２〜１４のいずれか１項に記載の動画像復号方法を、コンピュータで実行可能なプログラムとして構成したことを特徴とする。
【手続補正１７】
【補正対象書類名】明細書
【補正対象項目名】００３５
【補正方法】変更
【補正の内容】
【００３５】
（１７）請求項１７に記載の発明では、請求項１〜４のいずれか１項に記載の動画像符号化装置、または請求項９〜１１のいずれか１項に記載の動画像符号化方法を、コンピュータで実行可能にしたプログラムを、コンピュータが読取可能な記録媒体に記録したことを特徴とする。
【手続補正１８】
【補正対象書類名】明細書
【補正対象項目名】００３６
【補正方法】変更
【補正の内容】
【００３６】
（１８）請求項１８に記載の発明では、請求項５〜８のいずれか１項に記載の動画像復号装置、または請求項１２〜１４のいずれか１項に記載の動画像復号方法を、コンピュータで実行可能にしたプログラムを、コンピュータが読取可能な記録媒体に記録したことを特徴とする。
【手続補正１９】
【補正対象書類名】明細書
【補正対象項目名】００３９
【補正方法】変更
【補正の内容】
【００３９】
請求項３等に記載の発明によれば、画素グローバル動き補償方法とグローバル動き再補償方法のうち、より予測誤差の少ない方法を領域毎に選択することができる。例えばグローバル動き補償後の予測誤差の大小と、符号化する動きベクトル情報の符号量の大小に従って選択すれば、より符号化効率の高い方を選択することができる。どちらを選択したのかを示す情報は符号化モードで示すことができる。
また、画素グローバル動き補償によって求めた予測画像と、ブロックグローバル動き補償によって求めた予測画像と、グローバル動き再補償によって求めた予測画像とから、最も予測誤差の少ない方法を選択することが可能である。
【手続補正２０】
【補正対象書類名】明細書
【補正対象項目名】００４０
【補正方法】変更
【補正の内容】
【００４０】
請求項４等に記載の発明によれば、請求項３等に記載の発明に対して、通常の動き補償によって求めた予測画像と、画素グローバル動き補償によって求めた予測画像と、ブロックグローバル動き補償によって求めた予測画像と、グローバルー動き再補償によって求めた予測画像とから、最も予測誤差の少ない方法を選択することが可能である。前景と背景がある画像では、画素グローバル動き補償とグローバル動き再補償は背景領域の符号化に使い、通常の動き補償を前景領域の符号化に使うことにより、より符号化効率を向上することが可能である。
【手続補正２１】
【補正対象書類名】明細書
【補正対象項目名】００４１
【補正方法】削除
【補正の内容】